(57)【要約】【課題】今まで受信していた現在位置から隣接する地域へ移動したときに、現在位置情報を取得するためのＧＰＳ等を一切必要とすることなく、新しい現在位置を自動で検出するとともに、スキャン時間を大幅に短縮する。【解決手段】受信していた現在位置からから隣接する地域へ移動したことで受信が不可能であると判断した場合に、現在位置に隣接する複数の地域のチャンネルマップ情報の中から共通する代表チャンネルをそれぞれ１つ選出する。この選出された各代表チャンネルをスキャンして各代表チャンネルの中で最も受信品質の良い代表チャンネルを１つ検出し、この検出された受信品質の最も良い代表チャンネルのある地域を新しい現在位置として検出する。また、新しい現在位置に存在するチャンネルのみをスキャンすることで、スキャン時間を短縮する。【選択図】図２
2009164675.tif 000002
【特許請求の範囲】
【請求項１】
受信周波数を所定周波数間隔で順次に遷移させるとともに、各受信周波数において放送局の有無を判定し、放送局有りと判定された場合に、その受信周波数の放送局の受信状態を維持し、次の受信周波数への遷移を停止して自動選局を行なうスキャン手段と、
複数の異なる地域にそれぞれ対応したチャンネルマップ情報を格納する記憶部と、
を備えた自動選局受信装置において、
受信していた地域から隣接する地域へ移動したことで受信が不可能であると判断した場合に、受信していた地域に隣接する複数の地域のチャンネルマップ情報の中から代表チャンネルをそれぞれ１つ選出するとともに、この選出された各代表チャンネルをスキャンして各代表チャンネルの中で最も受信品質の良い代表チャンネルを１つ検出し、この検出された受信品質の最も良い代表チャンネルのある地域を新しい現在位置として検出する現在位置自動検出手段を備え、
前記現在位置自動検出手段が新しい現在位置を検出した場合は、新しい現在位置に対応するチャンネルマップ情報を前記記憶部より取り出し、新しい現在位置に存在するチャンネルのみをスキャンし、かつ新しい現在位置に存在するチャンネルを選局しプリセットするように構成したことを特徴とする自動選局受信装置。
【請求項２】
受信周波数を所定周波数間隔で順次に遷移させるとともに、各受信周波数において放送局の有無を判定し、放送局有りと判定された場合に、その受信周波数の放送局の受信状態を維持し、次の受信周波数への遷移を停止して自動選局を行なうスキャン手段と、
複数の異なる地域にそれぞれ対応したチャンネルマップ情報を格納する記憶部と、
を備えた自動選局受信装置における現在位置自動検出方法であって、
現在位置における受信の可否を判定するステップと、
前記受信の可否の判定の結果、受信していた地域から隣接する地域へ移動したことで受信が不可能であると判定された場合に、受信していた地域に隣接する複数の地域を検出するステップと、
前記検出された複数の隣接する地域のチャンネルマップ情報の中から代表チャンネルをそれぞれ１つ選出するするステップと、
前記選出された各代表チャンネルをスキャンして各代表チャンネルの中で最も受信品質の良い代表チャンネルを１つ検出するステップと、
前記検出された受信品質の最も良い代表チャンネルのある地域を新しい現在位置として確定するステップと、
を有することを特徴とする現在位置自動検出方法。
【発明の詳細な説明】
【技術分野】
【０００１】
本発明は、デジタル放送やアナログ放送の移動体受信機に搭載される自動選局受信装置および現在位置自動検出方法に関する。
【背景技術】
【０００２】
従来、自動車等に搭載されている移動体受信機おいては、自動車等の移動に伴い移動体受信機の放送受信位置が県境を越えて、隣接する地域（隣接する都道府県）へ移動したときに、各地域よって受信可能な放送エリアが異なるため、今まで受信できていた放送が受信できなくなる。
【０００３】
このようなときに、従来は、ＧＰＳの位置情報やユーザによるマニュアル操作等によって現在位置情報を移動体受信機へ入力して、その新しい現在位置において、新たに全チャンネルをスキャンし、選局を行なっていた。
【０００４】
また、他の方法としては、全チャンネルをスキャンするのではなく、現在位置に存在する代表的なチャンネルのみをスキャンし、そのスキャンした代表チャンネルの受信電力（電界強度）の視聴可否をみて、聴視可能であれば、その地域に存在する他のチャンネルの受信電力もその代表チャンネルと同じと仮定して、その地域に存在するチャンネルのみをスキャンするという技術手段が開示されている（例えば、特許文献１参照）。
【０００５】
しかし、上記の特許文献１に記載されている放送受信装置においても、現在位置の検出方法は、ＧＰＳの位置情報や通信の基地情報等によるものであり、別途、現在位置検出装置が必要であった。
【０００６】
【特許文献１】特開２００７−１５０８５６号公報
【発明の開示】
【発明が解決しようとする課題】
【０００７】
上述したような移動体受信機にあっては、県境を越えて自車位置が変わったときに、その現在位置を自動で検出することができることが好ましいが、ＧＰＳの位置情報や通信に用いる基地局情報を取得できる装置を搭載していない自動車においては、不可能である。また、ＧＰＳの位置情報や通信による基地局情報に基づき、現在位置を検出する方法は、現在位置を検出する装置を別途備える必要があり、コストが高くなる欠点があった。また、県境を移動したときに、その都度、新たに全チャンネルをスキャンすることが必要であり、ユーザの待ち時間が長くなるという問題があった。
【０００８】
本発明は、このような従来の構成が有していた問題を解決しようとするものであり、従来用いられていた現在位置情報を取得するためのＧＰＳや通信に用いる基地情報等を一切必要とすることなく、新しい現在位置を自動で検出することができるとともに、従来のように、すべてのチャンネルをスキャンする必要がなく、新しい現在位置に存在するチャンネルのみをスキャンし、新しい地域の各チャンネルへ自動的に変更することができ、スキャン時間を大幅に短縮することができる自動選局受信装置および現在位置自動検出方法を提供することを目的としている。
【課題を解決するための手段】
【０００９】
上記の目的を達成するために、本発明の自動選局受信装置は、受信周波数を所定周波数間隔で順次に遷移させるとともに、各受信周波数において放送局の有無を判定し、放送局有りと判定された場合に、その受信周波数の放送局の受信状態を維持し、次の受信周波数への遷移を停止して自動選局を行なうスキャン手段と、複数の異なる地域にそれぞれ対応したチャンネルマップ情報を格納する記憶部とを備えた自動選局受信装置において、
受信していた地域から隣接する地域へ移動したことで受信が不可能であると判断した場合に、受信していた地域に隣接する複数の地域のチャンネルマップ情報の中から代表チャンネルをそれぞれ１つ選出するとともに、この選出された各代表チャンネルをスキャンして各代表チャンネルの中で最も受信品質の良い代表チャンネルを１つ検出し、この検出された受信品質の最も良い代表チャンネルのある地域を新しい現在位置として検出する現在位置自動検出手段を備え、前記現在位置自動検出手段が新しい現在位置を検出した場合は、新しい現在位置に対応するチャンネルマップ情報を前記記憶部より取り出し、新しい現在位置に存在するチャンネルのみをスキャンし、かつ新しい現在位置に存在するチャンネルを選局しプリセットするように構成したことを特徴としている。
【００１０】
また、本発明の現在位置自動検出方法は、受信周波数を所定周波数間隔で順次に遷移させるとともに、各受信周波数において放送局の有無を判定し、放送局有りと判定された場合に、その受信周波数の放送局の受信状態を維持し、次の受信周波数への遷移を停止して自動選局を行なうスキャン手段と、複数の異なる地域にそれぞれ対応したチャンネルマップ情報を格納する記憶部とを備えた自動選局受信装置における現在位置自動検出方法であって、
現在位置における受信の可否を判定するステップと、前記受信の可否の判定の結果、受信していた地域から隣接する地域へ移動したことで受信が不可能であると判定された場合に、受信していた地域に隣接する複数の地域を検出するステップと、前記検出された複数の隣接する地域のチャンネルマップ情報の中から代表チャンネルをそれぞれ１つ選出するするステップと、前記選出された各代表チャンネルをスキャンして各代表チャンネルの中で最も受信品質の良い代表チャンネルを１つ検出するステップと、前記検出された受信品質の最も良い代表チャンネルのある地域を新しい現在位置として確定するステップとを有することを特徴としている。
【発明の効果】
【００１１】
本発明の自動選局受信装置および現在位置自動検出方法は、今まで受信していた地域から隣接する地域へ移動したときに、現在位置情報を取得するためのＧＰＳや通信に用いる基地情報等を一切必要とすることなく、新しい現在位置を自動で検出することができるため、装置規模を増大させることなく、新しい地域のチャンネルへ自動的に変更することができる。
【００１２】
また、従来のように、すべてのチャンネルをスキャンする必要がなくなり、新しい現在位置のチャンネルのみをスキャンするので、スキャン時間を大幅に短縮することができる。
【発明を実施するための最良の形態】
【００１３】
以下、本発明の実施の形態について、図１および図２を参照して説明する。この本発明の実施の形態では、特に、自動車に搭載するデジタル放送やアナログ放送の車載用ラジオ受信機を想定して説明する。
【００１４】
図１は本発明の実施の形態による自動選局受信装置を示すブロック図である。図２は現在位置の移動に伴う新しい現在位置の検出および選局処理手順を示すフローチャートである。
【００１５】
まず、図１の本発明の一実施例を示す車載用ラジオ受信機における自動選局受信装置の構成について説明する。図１に示す自動選局受信装置は、選局部１と、放送受信デコード部２と、演算処理部（ＣＰＵ）３と、記憶部（メモリー）４とを備えている。
【００１６】
上記の選局部１は、高周波増幅回路、混合回路、局部発振器、中間周波数増幅器等から構成され、ＰＬＬ回路（図示しない）に設定された位相ロック周波数に対応する周波数に受信する周波数を同調させ、中間周波数信号を出力する。このＰＬＬ回路は、周波数シンセサイザ、ＶＣＯ等の回路を中心に構成され、演算処理部３の制御により、位相ロックする周波数を変更する。
【００１７】
また、選局部１には、受信周波数を所定周波数間隔で順次に遷移させるとともに、各受信周波数において放送局の有無を判定し、放送局有りと判定された場合に、その受信周波数の放送局の受信状態を維持し、次の受信周波数への遷移を停止して自動選局を行なうスキャン手段を備えている。
【００１８】
放送受信デコード部２は、選択された放送局の中間周波数信号を復調し、音声信号に変換する。
【００１９】
演算処理部（ＣＰＵ）３は、受信電波品質検出部３１と、受信電波品質比較部３２とを備えている。受信電波品質検出部３１は、隣接する地域において代表的な１つのチャンネル（例えば、ＮＨＫ）のみをスキャンして、その受信品質（電界強度、誤り率等）を測定する。また、受信電波品質比較部３２は、受信電波品質検出部３１の測定結果に基づき、その中で、最も受信品質の良かった代表チャンネルを比較し検出する。
【００２０】
記憶部４は、各プログラムを格納する他に、どの地域（都道府県）の何チャンネル（周波数）にどういう放送局名が割り当てられているかという情報、すなわち、地域毎のチャンネルデータと放送局名データ等で構成された全国版のチャンネルマップ情報４１と、代表チャンネル受信品質データ４２を格納するように構成されている。
【００２１】
次に、上記のように構成した自動選局受信装置の現在位置自動検出方法および自動選局処理の手順について、図２を用いて説明する。
【００２２】
まず、現在位置（今まで受信していた放送局）から他の地域（その他の県域）に移動している場合、その移動した現在位置において、受信が可能かどうかを確認する（ステップＳ１）。この結果、現在設定されている放送局が受信可能（ＹＥＳ）と確認された場合は、現在の状態を維持する。一方、受信不可（ＮＯ）と確認された場合は、ステップＳ２へ移行する。
【００２３】
ステップＳ２では、現在位置（今まで受信していた放送局）に隣接する地域（都道府県）のチャンネルマップ情報４１を記憶部３から呼び出し、検出する。そして、その検出した隣接する複数のチャンネルマップ情報４１の中から、代表的な１つのチャンネル（例えば、ＮＨＫ）のみを選出し、スキャンする（ステップＳ３）。
【００２４】
ステップＳ３でスキャンし、受信した複数の代表チャンネルのそれぞれの受信品質（電界強度、誤り率）を測定する（ステップＳ４）。測定の結果、その中で、最も受信品質の良かった代表チャンネルを１つ検出し（ステップＳ５）、検出された代表チャンネルのある地域を現在位置として確定する（ステップＳ６）。
【００２５】
ステップＳ６において、現在位置が確定すると、その新しい現在位置のチャンネルマップ情報を記憶部３から取り出し（ステップＳ７）、新しい現在位置のチャンネルマップ情報４１に存在するチャンネルのみをスキャン（ステップＳ８）するとともに、新しい現在位置に存在するチャンネルすべてを選局してプリセットする（ステップＳ９）。
【００２６】
この結果、新しい現在位置での受信が可能（ＹＥＳ）となり（ステップＳ１０）、一連の処理手順は終了する。また、この時点で、現在位置に移動が生じた場合は、新しい現在位置での受信は、不可（ＮＯ）となり、再び、ステップＳ２へ移行し、同様な手順により、新しい現在位置を確定し、新しい現在位置での受信を可能にする。
【００２７】
このように、上述した本発明の実施の形態では、今まで受信していた現在位置から隣接する地域へ移動したときに、現在位置情報を取得するためのＧＰＳや通信に用いる基地情報等を一切必要とすることなく、新しい現在位置を自動で検出することができるため、装置規模を増大させることなく、安価に構成することができる。
【００２８】
また、従来のように、すべてのチャンネルをスキャンする必要がなくなり、新しい現在位置のチャンネルのみをスキャンするので、スキャン時間を大幅に短縮することができる。
【００２９】
また、隣接する地域の代表的なチャンネルの中で最も受信品質のよい代表チャンネルのある地域を現在位置として確定するようにしたので、例えば、現在位置が東京都であっても、ほかの地域のチャンネルの方が受信品質がよい場合には、受信品質がよいチャンネルを選局することができる。
【００３０】
なお、上述した本発明の実施の形態では、車載用ラジオ受信機に適用した場合を例に挙げて説明したが、例えば、車載用デジタル放送受信機にも適用することができる。一般にデジタル放送受信機のスキャンは、ＲＦ信号を受信した後、ＭＰＥＧ  ＴＳ（Ｔｒａｎｓｐｏｒｔ  Ｓｔｒｅａｍ）まで解析して、ＮＩＴ（Ｎｅｔｗｏｒｋ  Ｉｎｆｏｒｍａｔｉｏｎ  Ｔａｂｌｅ）などのＳＩ（Ｓｅｒｖｉｃｅ  Ｉｎｆｏｒｍａｔｉｏｎ）の情報を検出するなどの処理を行なうための時間がかかる。したがって、車載用デジタル放送受信機に本発明を適用した場合には、スキャン時間を一層大幅に短縮することができる。
【図面の簡単な説明】
【００３１】
【図１】本発明の実施の形態による自動選局受信装置を示すブロック図である。
【図２】現在位置の移動に伴う新しい現在位置の検出および選局処理手順を示すフローチャート図である。
【符号の説明】
【００３２】
１    選局部
２    放送受信デコード部
３    演算処理部（ＣＰＵ）
３１  受信電波品質検出部
３２  受信電波品質比較部
４    記憶部（メモリー）
４１  チャンネルマップ情報
４２  代表チャンネルの受信品質データ
【図１】
2009164675.tif 000003
【図２】
2009164675.tif 000004